(57)【特許請求の範囲】
【請求項１】
電気接点を有し挿入方向前端縁の左右一方に切欠きが形成されたカードが挿入されてきたときに該カードを受け入れる受入空間が形成されたハウジングと、
前記ハウジングに保持されて前記受入空間に受け入れたカードの電気接点に接触するコンタクトと、
前記挿入方向にスライド自在であって、前記受入空間に挿入されてきたカードの前端縁に押され該受入空間奥側に移動する樹脂製のスライダと、
前記スライダの、前記カードが前記受入空間に正規の姿勢で挿入されたときの該カードの前記切欠きに対面した位置に、前記挿入方向に遊びを持って該スライダに支持され、該カードが該受入空間に正規の姿勢で挿入されたときには前記スライダに押されて該スライダが最奥位置まで移動することを許し、該カードが不正な姿勢で挿入されてきたときは該カードに押されて前記ハウジングに突き当たり、該スライダが、該最奥位置まで移動することを禁止するストッパとを備え、
前記ストッパが、前記スライダの一部を跨いだ略Ｕ字状の金属製の部材であって、前記カードの前記前端縁の厚みに相当する高さを有し不正な姿勢で挿入されてきた該カードに高さ方向ほぼ全域が突き当たる縁部を有することを特徴とするカードコネクタ。
【請求項２】
前記スライダを、前記カードが前記受入空間から押し出される向きに付勢する付勢部材と、
前記ハウジング又は前記スライダに支持されたカムピンとを備え、
前記スライダ又は前記ハウジングは、前記カムピンが嵌入するカム溝を有し、
前記カム溝は、前記カードが前記受入空間に挿入されていって前記スライダが前記最奥位置まで移動した後の該カードへの押込力の解放により、該カードを押し出す向きに動く過程で該カムピンが入り込んで該スライダの更なる動きを阻止するロック位置と、前記スライダが前記ロック位置にあるときに前記カードの押し込みにより前記最奥位置まで移動した後の該カードの押込力の解放により該スライダが該カードを前記受入空間から押し出す方向に移動して該スライダが最終の排出位置まで移動してきたときに前記カムピンが位置し該スライダによる更なる押出しの動きを阻止するイジェクト位置とに該カムピンを案内するハートカム溝であることを特徴とする請求項１記載のカードコネクタ。
【発明の詳細な説明】
【技術分野】
【０００１】
本発明は、カードコネクタに関する。
【背景技術】
【０００２】
ＩＣが内蔵されたカードを、例えば携帯電話に代表される電子機器に装着するためのコネクタとしてカードコネクタが知られている。
【０００３】
例えば特許文献１には、いわゆるプッシュ／プッシュ形式のカードイジェクト機構を有するカードコネクタが示されている。このカードコネクタは、カードが挿入される空洞内に、このカードに押し込まれるカムスライダを備えている。一旦挿入されたカードが再び押されると、スライダのロックが解除され、スライダによってカードが押し出される。空洞を形成するハウジングには、スライダを案内するリブが突出して設けられている。特許文献１のカードコネクタでは、リブが、誤挿入されたカードの前端に衝突してカードの挿入を阻止する。
【０００４】
また、特許文献２には、プッシュ／プッシュ形式のカードイジェクト機構を有するカードコネクタが示されている。このカードコネクタでは、絶縁ハウジングとともに空洞を形成するメタルシェルに誤挿入防止用突起が設けられている。この誤挿入防止用突起は、誤挿入されたカードの前端に衝突してカードの挿入を阻止する。
【先行技術文献】
【特許文献】
【０００５】
【特許文献１】特開２００４−２２０７８７号公報
【特許文献２】特開２００４−１２７７３１号公報
【発明の概要】
【発明が解決しようとする課題】
【０００６】
しかしながら、特許文献１に示すカードコネクタでは、リブが突出する高さが、空洞内でスライダとすれ違える程度に抑えられている。この場合、誤挿入されたカードが強い力で押されると、カードがリブの上に乗り上げるようにして奥まで挿入されるおそれがある。この結果、カードコネクタまたはカードが破損するおそれがある。このことは、誤挿入防止用突起をメタルシェルに有する特許文献２のカードコネクタについても同様である。
【０００７】
本発明は上記問題点を解決し、カードの誤挿入防止を確実にすることが可能なカードコネクタを提供することを目的とするものである。
【課題を解決するための手段】
【０００８】
上記目的を達成する本発明のカードコネクタは、
電気接点を有し挿入方向前端縁の左右一方に切欠きが形成されたカードが挿入されてきたときにこのカードを受け入れる受入空間が形成されたハウジングと、
上記ハウジングに保持されて上記受入空間に受け入れたカードの電気接点に接触するコンタクトと、
上記挿入方向にスライド自在であって、上記受入空間に挿入されてきたカードの前端縁に押され受入空間奥側に移動する樹脂製のスライダと、
上記スライダの、上記カードが上記受入空間に正規の姿勢で挿入されたときの該カードの上記切欠きに対面した位置に、上記挿入方向に遊びを持ってスライダに支持され、カードがこの受入空間に正規の姿勢で挿入されたときには上記スライダに押されてこのスライダが最奥位置まで移動することを許し、カードが不正な姿勢で挿入されてきたときはカードに押されて上記ハウジングに突き当たり、スライダが、最奥位置まで移動することを禁止するストッパとを備え、
上記ストッパが、スライダの一部を跨いだ略Ｕ字状の金属製の部材であって、カードの前記前端縁の厚みに相当する高さを有し不正な姿勢で挿入されてきたカードに高さ方向ほぼ全域が突き当たる縁部を有することを特徴とする。
【０００９】
本発明のカードコネクタでは、スライダの移動を禁止するストッパがスライダに支持されている。このため、ストッパのうち少なくともカードに当たる部分の高さを、スライダに合わせて抑える必要がない。ストッパの、カードに当たる部分の高さを受入空間の高さに合わせて高くすることによって、カードがストッパに乗り上げる事態が防止される。したがって、カードの誤挿入防止を確実にすることが可能となる。
また、本発明のカードコネクタは、上記ストッパが、上記スライダの一部を跨いだ略Ｕ字状の部材であるため、カードがストッパに乗り上がることを防ぐ構造を容易に製造することができる。
また、上記本発明のカードコネクタは、上記ストッパが金属製の部材であることによって、カードが強い力で挿入された場合でもストッパの破損や変形が抑えられる。したがって、カードの誤挿入が確実に防止される。
【００１０】
ここで、上記本発明のカードコネクタにおいて、
上記スライダを、上記カードが上記受入空間から押し出される向きに付勢する付勢部材と、
上記ハウジング又は上記スライダに支持されたカムピンとを備え、
上記スライダ又は上記ハウジングは、上記カムピンが嵌入するカム溝を有し、
上記カム溝は、上記カードが上記受入空間に挿入されていって上記スライダが上記最奥位置まで移動した後のカードへの押込力の解放により、カードを押し出す向きに動く過程で上記カムピンが入り込んでスライダの更なる動きを阻止するロック位置と、スライダが上記ロック位置にあるときにカードの押し込みにより上記最奥位置まで移動した後のカードの押込力の解放によりスライダがカードを上記受入空間から押し出す方向に移動してスライダが最終の排出位置まで移動してきたときにカムピンが位置しスライダの更なる押出しの動きを阻止するイジェクト位置とにカムピンを案内するハートカム溝であることが好ましい。
【００１１】
上記の付勢部材、カムピン、およびカム溝により、いわゆるプッシュ／プッシュ形式のイジェクト機構が形成される。ここで、カードが不正な姿勢で挿入された場合には、ストッパが、スライダの最奥位置までの移動を禁止するため、カムピンがスライダの最奥位置に対応する位置まで案内されない。したがって、カムピンがロック位置に案内されない。このため、カードが不正な姿勢で挿入された場合にカードの押込力が解放されると、カムピンがイジェクト位置まで戻り、スライダがカードを受入空間から排出する最終の排出位置まで移動する。カードが排出されることで、カードが正常に挿入されなかったことが容易に判別できる。
【発明の効果】
【００１６】
以上説明したように、本発明によれば、カードの誤挿入防止を確実にすることが可能なカードコネクタが実現する。
【図面の簡単な説明】
【００１７】
【図１】本発明の一実施形態であるカードコネクタの平面図である。
【図２】スライダおよびストッパを示す図であり、パート（Ａ）は平面図、パート（Ｂ）は断面図である。
【図３】正規の姿勢でカードがカードコネクタに挿入された状態を示す図であり、パート（Ａ）は平面図、パート（Ｂ）は断面図である。
【図４】スライダがロック位置に移動した状態を示す平面図である。
【図５】不正な姿勢でカードがカードコネクタに挿入された状態を示す。
【図６】図５に示す状態の後、カードへの押込力が解放された状態を示す図である。
【発明を実施するための形態】
【００１８】
以下図面を参照して本発明の実施の形態を説明する。
【００１９】
図１は、本発明の一実施形態であるカードコネクタの平面図である。図１には、カードコネクタＣと、カードコネクタＣに装着されるカードＪが示されている。ここで、カードＪは、ＩＣが内蔵されたＩＣカードであり、例えばマイクロＳＩＭカードである。図１には、カードＪが、カードコネクタＣに挿入される正規の姿勢で示されている。カードＪがカードコネクタＣに挿入される方向を挿入方向Ｘと称する。カードＪは、概略矩形の板状であり、挿入方向Ｘにおける前端縁Ｅの、左右一方に切欠きＮが形成されている。本実施形態におけるカードＪの切欠きＮは、図１に示す正規の姿勢において、カードコネクタＣに向かって左の端に形成されている。また、カードＪには、８つの電気接点Ｐ（Ｐ１〜Ｐ８）が設けられている。電気接点Ｐ１〜Ｐ８は、図１に示す正規の姿勢において下面すなわち、図１に現れる面の反対面に配置されている。なお、本実施形態では、８つの電気接点Ｐ１〜Ｐ８のうち、６つの電気接点Ｐ２〜Ｐ４，Ｐ６〜Ｐ８が接続されることとなる。
【００２０】
カードコネクタＣは、ハウジング１、シェル２、６つのコンタクト３、スライダ４、ストッパ５、コイルばね６、および、カムピン７を備えている。なお、図１では、シェル２が取り外された状態が実線で示され、シェル２は外形のみが破線で示されている。
【００２１】
ハウジング１は、絶縁性の樹脂材料を成型することで形成されている。シェル２は、金属板を打抜き加工および折曲げ加工することで形成されている。ハウジング１およびシェル２は、双方とも略矩形状の外形を有している。シェル２は、ハウジング１の上を覆うようにハウジング１に取り付けられている。ハウジング１とシェル２の間には、板状のカードＪを受け入れる受入空間１１が形成されている。受入空間１１は、挿入口１１ａで外部に開口した空洞である。カードＪは挿入口１１ａから受入空間１１に、挿入方向Ｘに挿入される。ここで、挿入方向Ｘに垂直な、ハウジング１からシェル２を向いた方向、すなわち図１における紙面を貫く方向を高さ方向Ｚと称する。ハウジング１の、受入空間１１の挿入方向Ｘにおける奥には、移動してくるスライダ４またはストッパ５を制止するための制止壁１４が設けられている。
【００２２】
コンタクト３は、カードＪの電気接点Ｐ２〜Ｐ４，Ｐ６〜Ｐ８と電気的に接続するための部材である。コンタクト３は、金属板を打抜き加工および折曲げ加工することで形成されている。コンタクト３は、ハウジング１内にインサート成形等によって固定されている。ハウジング１には、コンタクト穴１１ｈが設けられており、コンタクト３の先端は、コンタクト穴１１ｈを通して、受入空間１１内に入り込んでいる。コンタクト３の他端は、カードコネクタＣが取り付けられる図示しない電子機器の導体パターンに半田接続される。
【００２３】
スライダ４、ストッパ５、コイルばね６、および、カムピン７は、ハウジング１とシェル２との間に形成された受入空間１１に配置されている。スライダ４、ストッパ５、コイルばね６、および、カムピン７は、プッシュ／プッシュ形式のイジェクト機構を構成する。スライダ４は、ハウジング１に、挿入方向Ｘにスライド自在に支持されている。より詳細には、ハウジング１の、スライダ４が配置された側の縁には、挿入方向Ｘに延びる立壁１２が設けられている。また、ハウジング１には、挿入方向Ｘに延びる案内溝１３も設けられている。案内溝１３には、スライダ４が有する突起４１が入り込んでいる。スライダ４は、ハウジング１の立壁１２および案内溝１３に案内されて挿入方向Ｘにスライドする。
【００２４】
図２は、スライダおよびストッパを示す図である。図２のパート（Ａ）は平面図であり、パート（Ｂ）はパート（Ａ）のＢ−Ｂ線における断面図である。
【００２５】
スライダ４は、樹脂材料を成型することで形成されている。スライダ４は、上述した突起４１に加え、スライダ本体４２、押当て部４３、カム部４４、および、ばね係合部４５を備えている。
【００２６】
スライダ本体４２は挿入方向Ｘに長く延びている。スライダ本体４２には、高さ方向Ｚに突出した案内壁４２１が設けられている。案内壁４２１は、カードＪの厚みに相当する高さを有し、挿入方向Ｘに延びている。案内壁４２１は、カードＪ（図１参照）の挿入時にカードＪの側縁に接触して、カードＪを案内する。
【００２７】
押当て部４３は、スライダ本体４２から鉤状に延びた部分である。押当て部４３は、カードＪ（図１参照）の挿入時にカードＪの前端縁Ｅに対面した位置に配置されており、カードＪの前端縁Ｅ（図１参照）に押し当てられる部分となる。押当て部４３は、カードＪの厚みに相当する高さを有する。スライダ４は、押当て部４３がカードＪ（図１参照）に押され、受入空間１１（図１参照）の挿入方向Ｘ奥側に移動する。またこの逆に、スライダ４は、挿入方向Ｘとは逆向きに移動するとき押当て部４３でカードＪを押す。
【００２８】
カム部４４は、スライダ本体４２に続いて設けられている。カム部４４にはハートカム溝４４１が形成されている。ハートカム溝４４１は、第１極限位置４４１ａ、ロック位置４４１ｂ、第２極限位置４４１ｃ、およびイジェクト位置４４１ｄの４つの位置を頂点とする概略ハート形状である。ハートカム溝４４１は、カムピン７（図１参照）の先端が入り込んでおり、このカムピン７とともにスライダ４の位置決めを行う。ハートカム溝４４１における上記４つの位置の間には、カムピン７の移動方向を規定する段差ｓが設けられている。このため、ハートカム溝４４１は、スライダ４が移動するのに伴い、カムピン７（図１参照）を、第１極限位置４４１ａ、ロック位置４４１ｂ、第２極限位置４４１ｃ、およびイジェクト位置４４１ｄの順に循環的に案内する。
【００２９】
ばね係合部４５は、コイルばね６（図１参照）の一端が取り付けられる突起である。コイルばね６については後に説明する。
【００３０】
ストッパ５は、スライダ４におけるスライダ本体４２の、押当て部４３が突出する部分に配置されている。ストッパ５は、金属板を打抜き加工および折曲げ加工することで形成された部材である。より詳細には、ストッパ５は、図２のパート（Ｂ）に示すように、断面が略Ｕ字状の部材であり、略Ｕ字状に曲がった両側の縁部５ａを挿入方向Ｘに向けた姿勢で、スライダ本体４２を跨いで配置されている。より詳細には、ストッパ５は、スライダ本体４２に形成されたストッパ支持部４２２を跨いでいる。ストッパ５の挿入方向Ｘにおける長さＬ１１は、ストッパ支持部４２２の挿入方向Ｘにおける長さＬ２よりも長い。このため、ストッパ５は、挿入方向Ｘに遊びを持って支持されている。ストッパ５の縁部５ａは、押当て部４３や案内壁４２１と同様に、カードＪの厚みに相当する高さを有する。
【００３１】
再び図１を参照して説明する。カードコネクタＣのストッパ５は、カードＪが受入空間１１に正規の姿勢で挿入されたときの、切欠きＮに対面した位置に配置されている。
【００３２】
コイルばね６は、ハウジング１と、スライダ４のばね係合部４５との間に設けられた圧縮ばねである。コイルばね６は、本発明にいう付勢部材の一例に相当する。コイルばね６は、スライダ４を、挿入方向Ｘとは逆の向き、すなわちカードＪを受入空間１１から押し出す向きに付勢している。
【００３３】
カムピン７は、両端部分が略直角に折れ曲がった概略Ｕ字状の棒である。カムピン７は、金属棒を折曲げ加工することで形成されている。カムピン７の折れ曲がった一端７ａはハウジング１に挿入されており、カムピン７はこの一端７ａを軸として、ハウジング１に回転自在に支持されている。カムピン７の他端７ｂは、スライダ４のハートカム溝４４１に嵌入している。カムピン７は、ハートカム溝４４１とともにスライダ４の位置決めを行う。
【００３４】
［正規の姿勢でのカード挿入］
上述した構成のカードコネクタＣでは、カードＪの誤挿入が防止される。ここではまず、カードＪが正規の姿勢でカードコネクタＣに挿入された場合の各部の動作を説明する。
【００３５】
図３は、正規の姿勢でカードがカードコネクタに挿入された状態を示す図である。図３のパート（Ａ）は平面図であり、パート（Ｂ）はパート（Ａ）のＢ−Ｂ線における断面図である。
【００３６】
カードＪが図１に示す正規の姿勢でカードコネクタＣの受入空間１１（図１参照）に挿入されると、カードＪの前端縁Ｅが、スライダ４の押当て部４３に当たる。スライダ４は、カードＪの前端縁Ｅに押され、コイルばね６の付勢力に抗して、受入空間１１の、挿入方向Ｘにおける奥側に移動する。このとき、ストッパ５もスライダ４に押されて挿入方向Ｘに移動する。ストッパ５の一部はカードＪの前端縁Ｅの切欠きＮに入り込む。このため、スライダ４は、ストッパ５に邪魔されず、図３に示すように、押当て部４３が制止壁１４に当たる最奥位置まで移動することができる。図３には、スライダ４が最奥位置まで移動して、押当て部４３が制止壁１４に当たり、スライダ４の挿入方向Ｘへの更なる移動が阻止された状態が示されている。
【００３７】
スライダ４の移動に伴い、カムピン７は、ハートカム溝４４１のイジェクト位置４４１ｄから第１極限位置４４１ａに案内される。
【００３８】
次に、カードＪへの押込力が解放されると、スライダ４が、コイルばね６の付勢力によって、カードを押し出す向き、すなわち挿入方向Ｘの反対方向にわずかに戻る。
【００３９】
図４は、スライダがロック位置に移動した状態を示す平面図である。
【００４０】
カードＪへの押込力が解放されてスライダ４が動くと、第１極限位置４４１ａにあったカムピン７は、今度はロック位置４４１ｂに入り込む。ロック位置４４１ｂに入り込んだカムピン７は、スライダ４の更なる動きを阻止する。カードＪは、図４に示す位置で停止する。カムピン７がロック位置４４１ｂに入り込んだ状態における、スライダ４の位置もロック位置と称する。ロック位置では、カードＪがカードコネクタＣに完全に装着された状態となる。ロック位置では、カードコネクタＣのコンタクト３（図１参照）の先端が、カードＪの電気接点Ｐ２〜Ｐ４，Ｐ６〜Ｐ８（図１参照）に弾性接触する。
【００４１】
次に、スライダ４がロック位置にあるときに、カードＪに再び押込力が付与されると、カードＪがスライダ４を、コイルばね６の付勢力に抗して挿入方向Ｘに押す。スライダ４は、押当て部４３がハウジング１の奥に設けられた制止壁１４に当たるまで移動する。また、スライダ４の移動に伴い、カムピン７は、ハートカム溝４４１のロック位置４４１ｂから第２極限位置４４１ｃに案内される。
【００４２】
次に、カードＪへの押込力が解放されると、スライダ４が、コイルばね６の付勢力によってカードを押し出す向き、すなわち挿入方向Ｘとは反対方向に動く。また、カムピン７は、ハートカム溝４４１の第２極限位置４４１ｃからイジェクト位置４４１ｄに案内される。したがって、スライダ４は、図１に示す排出位置まで移動しながら、カードＪを押し出す。排出位置までスライダ４が移動することによって、カードＪの多くの部分が、カードコネクタＣの外に露出する。したがって、カードＪを手指でつまんで取り出すことができる。
【００４３】
［不正な姿勢でのカード挿入］
続いて、カードＪが不正な姿勢でカードコネクタＣに挿入された場合の各部の動作を説明する。
【００４４】
図５は、不正な姿勢でカードがカードコネクタに挿入された状態を示す。
【００４５】
図５に示すカードＪは、図３に示す正規の姿勢のカードＪに対し表裏及び前後が反転している。したがって、電気接点Ｐ１〜Ｐ８は実線で表されている。また、切欠きＮが設けられた前端Ｅは、挿入方向Ｘにおける後方に配置されている。
【００４６】
図５に示すカードＪがカードコネクタＣに挿入されると、スライダ４は、カードＪに押されて挿入方向Ｘ奥側に途中まで移動する。図５に示すカードＪの挿入方向Ｘにおける前方には、ストッパ５が入り込むカードＪの切欠きＮがないため、ストッパ５もカードＪに押される。図２を参照して説明したように、ストッパ５の挿入方向Ｘにおける長さＬ１２は、押当て部４３の挿入方向Ｘにおける長さＬ３よりも長い。したがって、スライダ４の押当て部４３が制止壁１４に達する前に、ストッパ５は制止壁１４に突き当たる。つまり、ストッパ５によって、カードＪがスライダ４を最奥位置（図３参照）まで移動させることが禁止される。図５には、ストッパ５が制止壁１４に突き当たった状態が示されている。
【００４７】
本実施形態のカードコネクタＣにおけるストッパ５は、スライダ４に遊びを持って支持されたＵ字状の部材であり、スライダ４とともに移動する。このため、ストッパ５の、カードＪに突き当たる部分である縁部５ａは、ストッパ５を支持するストッパ支持部４２２との擦れ違いが生じない。したがって、ストッパ５がカードＪに突き当たる縁部５ａの高さｈ（図２参照）は、カードＪの厚みに相当する高さとすることができる。このため、たとえカードＪが強い力で押し込まれても、カードＪがストッパ５に乗り上がる事態が防止され、カードＪの誤挿入防止が確実となる。また、ストッパ５は金属製であり、カードＪが強い力で押し込まれても破損し難い。
【００４８】
カムピン７は、スライダ４の移動に伴い、ハートカム溝４４１のイジェクト位置４４１ｄから離れる。しかし、スライダ４は、コイルばね６に付勢されるとともに、ストッパ５を、遊びを持って支持している。このため、図５に示す、カードＪに押されたストッパ５が制止壁１４に突き当たった状態で、スライダ４は、図３に示した最奥位置よりも挿入方向Ｘ後方で停止する。つまり、カムピン７は、第１極限位置４４１ａに到達しない。第１極限位置４４１ａに到達しないカムピン７は、次の位置であるロック位置４４１ｂに移行し得ない。このため、カードＪへの押込力が解放され、コイルばね６の力によってスライダ４が動くと、カムピン７は、ロック位置４４１ｂに入らず、イジェクト位置４４１ｄまで戻ることとなる。
【００４９】
図６は、図５に示す状態の後、カードへの押込力が解放された状態を示す図である。
【００５０】
スライダ４は、カムピン７がイジェクト位置４４１ｄまで戻る位置まで移動する。このとき、カードＪは、スライダ４によって受入空間１１から押し出される。
【００５１】
本実施形態のカードコネクタＣでは、不正な姿勢でカードが挿入された場合に、カードＪが最奥の位置に入らないばかりでなく、受入空間１１から押し出される。このため、カードＪが正常に挿入されなかったことが判別しやすい。
【００５２】
なお、図５および図６には、不正な姿勢として、正規の姿勢に対し表裏及び前後が反転しているカードＪが示されている。しかし、カードＪが、正規の姿勢に対し表裏又は前後のみを反転した姿勢であっても、スライダの最奥位置への移動は禁止される。したがって、カードＪは受入空間１１から押し出される。
【００５３】
本発明にいう付勢部材の例として、コイルばね６が示されている。ただし、本発明はこれに限られるものではなく、付勢部材は、例えば板バネやゴムであってもよい。
【００５４】
また、上述した実施形態が対象とするカードの例として、マイクロＳＩＭカードが示されている。ただし、本発明はこれに限られるものではなく、例えばＳＤカードに代表されるＩＣカードであってもよい。また、コンタクトも６以外の複数であってよい。
【００５５】
さらに、上述した実施形態におけるカードコネクタは、ハウジングがカムピンを支持し、スライダがカム溝を有していたが、ハウジングがカム溝を有し、スライダがカムピンを支持するよう構成してもよい。
【００５６】
また、上述した実施形態におけるカードコネクタはプッシュ／プッシュ形式のイジェクト機構を有する。ただし、本発明はこれに限られるものではなく、カードコネクタは、例えばイジェクトボタンの押し込みによりカードを押し出すものであってもよい。
【符号の説明】
【００５７】
Ｃ    カードコネクタ
１    ハウジング
２    シェル
３    コンタクト
４    スライダ
４４    カム部
４４１    ハートカム溝
４４１ａ    第１極限位置
４４１ｂ    ロック位置
４４１ｃ    第２極限位置
４４１ｄ    イジェクト位置
５    ストッパ
７    カムピン
１１    受入空間
Ｊ    カード
【図１】
0005501316.tif 000002
【図２】
0005501316.tif 000003
【図３】
0005501316.tif 000004
【図４】
0005501316.tif 000005
【図５】
0005501316.tif 000006
【図６】
0005501316.tif 000007